(57)【要約】【課題】制御対象となる空間内に居る人の心理状態に対応したシーン状態を創り出すことができる空間制御システムを提供することにある。【解決手段】制御装置７は、空間（例えば居間Ａ）内に居る人Ｍの生理状態を測定する生理状態測定用センサ１０の測定結果から特定した心理状態と、ＩＤタグ８から読み取った個人属性情報とに基づいて制御対象機器を選択制御することにより、人Ｍの心理状態に加え年齢や性別に相応しいシーン状態を創出する。【選択図】図１
2007174430.tif 000002
【特許請求の範囲】
【請求項１】
制御対象機器を設置した空間内に居る人の心理状態反映要因から当該人の心理状態を特定する心理状態手段と、該手段で特定された心理状態に対応するシーン状態を、予め設定している設定情報を参照して当該物理情報に関連する前記制御対象機器を制御することで創出する制御手段とを備えていることを特徴とする空間制御システム。
【請求項２】
空間内に居る人の性別、年齢等の個人属性情報を取得する情報取得手段を具備し、制御手段は前記情報手段で取得した個人属性情報と、前記心理状態手段が特定した心理状態に基づいて、制御対象機器の選択と制御内容を決定することを特徴とする請求項１記載の空間制御システム。
【請求項３】
前記情報取得手段は、前記空間に居る人が携帯するＲＦ型のＩＤタグに書き込まれた個人属性情報を読み取る手段により構成されていることを特徴とする請求項２記載の空間制御システム。
【発明の詳細な説明】
【技術分野】
【０００１】
本発明は、居住空間等、人が居る空間のシーン状態を創り出す空間制御システムに関するものである。
【背景技術】
【０００２】
居住空間に設けた機器を生活シーンに即するように制御する装置が従来提供されている（特許文献１）。
【０００３】
この特許文献１に開示されているシーン制御処理装置は、予め決められた条件機器の起動により自動的に電気機器を制御することで、所定の生活シーンを実現する装置である。
【特許文献１】特許第３４６５９１４号（段落番号０００５、００１３、００２９。００３２）。
【発明の開示】
【発明が解決しようとする課題】
【０００４】
上述の特許文献１に開示されているシーン制御処理装置は、条件機器として人感センサ等を用いている構成が記載されているが、空間内の居る人の心理状態を反映させてシーンを創り出すようになっていなかった。
【０００５】
本発明は、上述の点に鑑みて為されたもので、その目的とするところは、制御対象となる空間内に居る人の心理状態に対応したシーン状態を創り出すことができる空間制御システムを提供することにある。
【課題を解決するための手段】
【０００６】
上述の目的を達成するために、請求項１の発明では、制御対象機器を設置した空間内に居る人の心理状態反映要因から当該人の心理状態を特定する心理状態手段と、該手段で特定された心理状態に対応するシーン状態を、予め設定している設定情報を参照して当該物理情報に関連する前記制御対象機器を制御することで創出する制御手段とを備えていることを特徴とする。
【０００７】
請求項１の発明によれば、空間内に居る人の心理状態に相応しいシーン状態を創り出すことができる。
【０００８】
請求項２の発明では、請求項１の発明において、空間内に居る人の性別、年齢等の個人属性情報を取得する情報取得手段を具備し、制御手段は前記情報手段で取得した個人属性情報と、前記心理状態手段が特定した心理状態に基づいて、制御対象機器の選択と制御内容を決定することを特徴とする。
【０００９】
請求項２の発明によれば、居間にいる人の心理状態と個人属性情報とを併用することで、当該人にとってより適合したシーン状態を創り出すことができる。
【００１０】
請求項３の発明では、請求項２の発明において、前記情報取得手段は、前記空間に居る人が携帯するＲＦ型のＩＤタグに書き込まれた個人属性情報を読み取る手段により構成されていることを特徴とする。
【００１１】
請求項３の発明によれば、人の個人属性情報の取得が簡単に行える。
【発明の効果】
【００１２】
本発明は、空間内に居る人の心理状態に相応しいシーン状態を創り出すことができるという効果がある。
【発明を実施するための最良の形態】
【００１３】
以下本発明を実施形態により説明する。
【００１４】
図１は住宅の居間Ａに設置した本発明の一実施形態を示しており、天井部には居間Ａを照明する照明装置１や、居間Ａの温度、湿度等を制御する空調装置２を設けるとともに、更に居間Ａ内を送受信エリアとするＲＦ型ＩＤ対応のリーダ・ライタ３と、居間Ａの温度・湿度を夫々検出する温度・湿度センサ４と、居間Ａ内にハーブなどの植物から摘出した精油（エッセンシャルオイル）等の芳香剤の香りとその成分を発散させるアロマ装置９とを居間Ａ内の適所に設けてある。
【００１５】
また居間Ａに配置されるＴＶ受像機、ステレオ装置、ＤＶＤレコーダ等からなるオーディオ・ビジュアル装置（以下ＡＶ装置と略す）５にソファ６が対置されている。
【００１６】
このソファ６の腕置き部位には人物の心理状態を反映した生理状態を定量的、客観的に示す生理状態測定用センサ１０を配置し、ソファ６に座った人Ｍの腕等の皮膚表面に電極或いはセンサヘッダを当てて、当該人物の心理状態を反映した生理状態を測定するようになっている。ここで生理状態測定用センサ１０としては、心拍（脈拍）を測定する心拍センサ、発汗量を測定する発汗センサ、血圧変化を測定する血圧センサ、体温変化を測定する体温センサ等の何れか或いはそれらを複合的に組み合わせたセンサを用い、その測定値情報Ｄ３が制御装置７へ送られる。
【００１７】
ここで照明装置１は後述する制御装置７からの制御信号Ｓ１により消灯状態から全点灯状態の範囲で調光制御可能で且つ照明色も可変可能なものが用いられ、居間Ａ内の明るさとともに照明色を創り出すようになっている。
【００１８】
空調装置２は、居間Ａ内に設けた温度・湿度センサ４の検出温度、検出湿度に基づいた制御装置７からの空調制御信号Ｓ２により制御され、居間Ａ内の空調環境を所定の条件で創り出すようになっている。
【００１９】
またＡＶ装置５は、制御装置７へ動作信号Ｄ１を送るとともに制御装置７から制御信号Ｓ３により動作のオン／オフや、再生音量の制御が強制的に為されるようになっている。
【００２０】
更にアロマ装置９は複数種の芳香剤をセットできるとともに、芳香させる芳香剤の選択や複数の芳香剤を選択して複合した香りを芳香させる制御が外部信号により行えるようになっているものが使用され、外部信号として制御装置７からの制御信号Ｓ４が送られるようになっている。
【００２１】
制御装置７は図２に示すよう演算処理部７０と、演算処理部７０の動作プログラムや、空間制御に用いる後述する設定情報、更に心理状態を特定するために、生理状態測定用センサ１０の測定に対応する生理指標を格納している記憶部７１と、演算出力部７０と外部との間の信号授受のための入出力インターフェース７２とから構成される。
【００２２】
演算処理部７０は、居間Ａに居る人Ｍが携帯しているＲＦ型のＩＤタグ８とリーダ・ライタ３との情報の授受により、居間Ａに居る人の数をカウントするとともに、各ＩＤタグ８に登録されている携帯者の個人属性情報（年齢・性別）を情報取得手段としての機能と、生理状態測定用センサ１０からの測定値情報Ｄ４と記憶部７１に予め格納している生理指標とを比較して人Ｍの心理状態を特定する心理状態特定手段としての機能と、取得した個人属性情報及び特定した心理状態から、設定情報を参照しつつ機器（照明装置１，空調装置２、ＡＶ装置５）を選択制御することで、居間Ａに居る人Ｍの心理状態及び年齢、性別に相応しいシーン状態を創り出す制御手段としての機能を備えている。
【００２３】
次にシーン状態を創り出す制御装置７の動作を説明する。
【００２４】
尚ＩＤタグ８は家族の一人一人が携帯するものとし、夫々が携帯するＩＤタグ８には当該人物の個人属性情報が書き込まれているものとする。
【００２５】
而して制御装置７の演算処理部７０は常時リーダ・ライタ３が読み取る情報Ｄ２をモニタし、情報Ｄ２の取得の有無から居間Ａに人Ｍが居るか否かを判断する処理を行う。そして図１に示すように居間Ａに人Ｍが在室していることがリーダ・ライタ３の情報Ｄ２から判ると、制御装置７の演算処理部７０は、リーダ・ライタ３により読み取ったＩＤタグ８の個人属性情報から人Ｍが子供か、或いは老人（祖母や祖父）かを判定する。
【００２６】
そして先ず制御装置７に演算処理部７０は、リーダ・ライタ３での情報Ｄ２の読み取りがあって人Ｍが居ると判定すると、先ず記憶部７１に格納している設定情報を参照した上で、照明装置１を点灯させる制御信号Ｓ１を生成して照明装置１に送る。この場合情報読み取りが行われたＩＤタグ８の数から居間Ａに居る人数を判定して、この判定した人数に最適な照明装置１の光出力を設定情報（人数に対応する光出力の設定情報）に基づいて決定し、この決定した光出力となるように照明装置１を調光制御するとともに標準的な照明色に設定する制御データを上述の制御信号Ｓ１により照明装置１に送る。
【００２７】
これにより例えば居間Ａに居る人Ｍの人数に応じた照居間Ａの照明環境を創り出すことができる。例えば一人の場合にはやや光出力を低くして、落ち着いた照明環境を創り、また一定以上の人数になった場合には照明装置１を全点灯に切り替えることで、居間全体を明るくする照明環境を創ることができる。尚人Ｍが居間Ａから出て行って存在人数が０となった場合には、制御装置７の演算処理部７０は、内蔵時計（図示せず）の計時情報に基づいて照明装置１を一定時間後に消灯させる制御信号Ｓ１を照明装置１へ送り、消し忘れを防ぐ。
【００２８】
また、制御装置７の演算処理部７０は居間Ａに人Ｍが居ると判定すると、設定情報を参照して、居間Ａの空調環境が最適となるように空調装置２に制御信号Ｓ２を送って空調を開始させる。この場合人Ｍが発散する熱、湿気などによって居間Ａ内の温度・湿度が変化するため、演算処理部７０は設定情報に基づいて設定した基準的な最適温度・最適湿度となるように、温度・湿度センサ４が検知する温度・湿度の検知情報Ｄ３を基に空調装置２をフィードバック制御する。これにより居間Ａに居る人Ｍの数に無関係に居間Ａの空調環境を最適なものとすることできる。この空調装置２の制御も人Ｍが居間Ａから出て行って存在人数が０となった場合には、一定時間後に空調装置２の運転を停止させる。また空調装置２の運転開始時においては、演算処理部７は、居間Ａに居る人Ｍの人数と、設定情報に示される空調装置２の空調能力とから、短時間で上述の最適な空調環境を得られる空調能力を設定する制御信号Ｓ２を空調装置２へ送る。これにより人数に関係なく最適な空調環境が速やかに得られることになる。
【００２９】
更にＡＶ装置５のＴＶ受像機がオンされた場合、制御装置７は内蔵時計の時刻から夜間か昼間かを判断し、その判断結果と設定情報に基づいてＴＶ受像機の画像モード（画面の明るさ等の調整モード）を時間帯に相応しいモードとなるように制御する制御信号Ｓ３を送る。
【００３０】
またＡＶ装置５がオンされたときに、居間Ａに居る人Ｍが一人であって、且つその人Ｍの個人属性が老齢者（家族であれば祖父や祖母等）であれば、設定情報に基づいて年齢に対応する音量（この場合には標準音量よりも所定だけ大きな音量）に設定するＡＶ制御信号Ｓ３を送る。更に居間Ａに居る人Ｍの数が複数の場合は、話声などにより聴き取り難くなることを想定して標準音量より大きな音量に設定する制御信号Ｓ３を送る。勿論これらの制御は設定情報を参照することで行われる。
【００３１】
また人Ｍが子供である場合には、制御装置７は視聴開始からの時間を内蔵時計に基づいてカウントし、設定情報に示される一定時間（例えば１時間）が経過したときに強制的にＴＶ受像機をオフするＡＶ制御信号Ｓ３を出力し、一定時間以上の視聴を制限する処理を行う。
【００３２】
このように本実施形態では、空調や照明のような空間環境を制御対象である空間（実施形態では居間Ａ）に居る人Ｍの数によって最適な状態に設定するとともに、空間に存在する機器（実施形態ではＡＶ装置５）を利用する人Ｍの個人属性を加味して制御することで、空間全体のシーン状態を好ましいものとすることができるのである。
【００３３】
ところで、上述のシーン状態の創出は人Ｍの心理状態を反映しないものであるが、居間Ａに居る一人の人Ｍがソファ６に座り、その腕を生理状態測定用センサ１０の電極やセンサヘッダに載せると、生理状態測定用センサ１０は当該人物の生理状況の測定値情報Ｄ４を制御装置７に送信する。制御装置７の演算処理部７０はこの測定値情報Ｄ４と記憶部７１に格納している生理指標とから当該人物の現在の心理情報を特定する。つまり当該人物が落ち着いている、「興奮している」、「疲れている」、「眠い状態にある」等を特定し、その特定結果と年齢、性別とに基づいて、設定情報を参照しながらＡＶ装置５のコンテンツ、音量、音響効果、更には照明装置１の光出力、更には照明色、空調装置２による居間Ａの温度・湿度設定、更にアロマ装置９からの芳香させる芳香剤の選択などを決定し、夫々の装置１，２，５，９に対して決定内容に対応する制御データからなる制御信号Ｓ１、Ｓ２、Ｓ３、Ｓ４を送って夫々を制御し、人Ｍの心理状態と年齢及び性別とを反映させたシーン状態を創り出すのである。
【００３４】
このように本実施形態では、人Ｍの心理状態を反映し、興奮している状態では鎮める効果が、また疲れている状態では疲れが取れるような効果が、眠い状態では覚醒させる効果が得られるシーン状態を創り出すことができる。また落ち着いているときにはそのままの心理状態が継続するようなシーン状態を創り出すことができる。
【００３５】
尚心理状態を特定するために上述のような生理状態測定用センサ１０を用いる他に、例えば人の挙動をＴＶカメラで捉え、その挙動から心理状態を特定する方法を採用してもよい。また生理状態測定用センサ１０としては、例えば皮膚表面に近赤外線を照射し、生体内での反射光から心理的な変化が反映する血液成分を非侵襲で測定できるセンサ等を用いてもよい。
【００３６】
ところで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、ウェブカメラ等、以降、ＥＭＩＴ端末と称する。）＜図示せず＞にアクセスして、ＥＭＩＴ端末を遠隔監視・制御することができるシステムがある。
【００３７】
尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。
【００３８】
上述のＥＭＩＴ技術を応用したシステム（以降、ＥＭＩＴシステムと称する。）としては、外部端末がインターネット上に設けられたセンタサーバ（図示せず）経由でＥＭＩＴ端末を遠隔監視・制御する構成のものや、センタサーバを介することなく、例えばＥＭＩＴソフトウェアが搭載された外部端末から、直接各ＥＭＩＴ端末にアクセスしてＥＭＩＴ端末を遠隔監視・制御する構成のものを挙げることができる。
【００３９】
そこで本発明において、被制御機器と制御装置との間の情報授受にこのＥＭＩＴ技術を利用しても良い。
【図面の簡単な説明】
【００４０】
【図１】一実施形態のシステム構成図である。
【図２】一実施形態に用いる制御装置のブロック図である。
【符号の説明】
【００４１】
１  照明装置
２  空調装置
３  リーダ・ライタ３
４  温度・湿度センサ
５  オーディオ・ビジュアル装置
６  ソファ
７  制御装置
８  ＩＤタグ
９  アロマ装置
１０  生理状態測定用センサ
【図１】
2007174430.tif 000003
【図２】
2007174430.tif 000004